(57)【要約】本発明は、少なくとも一つの検出対象（８．１、８．２）がそれぞれに存在する複数の視野（７．１、７．２）を照明する少なくとも一つの照明デバイス（５、５．１、５．２）を含むカメラ装置（１）に関する。カメラ装置（１）はまた、複数の視野（７．１、７．２）の少なくとも一つを含むビーム経路を合焦するための、又はそれぞれが複数の視野（７．１、７．２）の少なくとも一つを含む複数のビーム経路を合焦するための少なくとも一つの対物レンズ（４、４．１、４．２）も含む。ＴＯＦセンサ（２）も設けられる。少なくとも一つの照明デバイス（５、５．１、５．２）と、少なくとも一つの対物レンズ（４、４．１、４．２）と、ＴＯＦセンサ（２）とが、互いに対して配列されることにより、かつ、視野（７．１、７．２）及び当該視野にある対象（８．１、８．２）に対して配列されることにより、対象（８．１、８．２）の像（Ａ、Ｂ、Ｃ、Ｄ）を一つのＴＯＦセンサ（２）上に同時に又は経時連続的に結像することができる。本発明はまた、かかるカメラ装置（１）の使用にも関する。
2015510108.tif 000002
【特許請求の範囲】
【請求項１】
カメラ装置（１）であって、
・少なくとも一つの検出対象（８．１、８．２）がそれぞれに存在する複数の視野（７．１、７．２）を照明する少なくとも一つの照明デバイス（５、５．１、５．２）と、
・前記複数の視野（７．１、７．２）の少なくとも一つを含む一のビーム経路を合焦するための、又はそれぞれが前記複数の視野（７．１、７．２）の少なくとも一つを含む複数のビーム経路を合焦するための少なくとも一つの対物レンズ（４、４．１、４．２）と、
・ＴＯＦセンサ（２）と
を含み、
・前記少なくとも一つの照明デバイス（５、５．１、５．２）と、前記少なくとも一つの対物レンズ（４、４．１、４．２）と、前記ＴＯＦセンサ（２）とが、互いに対して配列されることにより、かつ、前記視野（７．１、７．２）及び前記視野（７．１、７．２）に存在する前記対象（８．１、８．２）に対して配列されることにより、前記対象（８．１、８．２）の像（Ａ、Ｂ、Ｃ、Ｄ）を一つのＴＯＦセンサ（２）上に同時に又は経時連続的に結像することができるカメラ装置（１）。
【請求項２】
それぞれが視野（７．１、７．２）を照明可能な２つの照明デバイス（５．１、５．２）が設けられ、
前記対象（８．１、８．２）と前記ＴＯＦセンサ（２）との間にはそれぞれ対物レンズ（４．１、４．２）が配列され、
前記対象（８．１、８．２）の像（Ａ、Ｂ、Ｃ）は、前記ＴＯＦセンサ（２）上の共通領域に結像可能である、請求項１に記載のカメラ装置（１）。
【請求項３】
前記２つの照明デバイス（５．１、５．２）は制御デバイス（６）に結合され、
前記制御デバイス（６）により前記２つの照明デバイス（５．１、５．２）は、互いから独立して異なる時刻（ｔ１、ｔ２）にアクティブにすることができる、請求項２に記載のカメラ装置（１）。
【請求項４】
前記視野（７．１、７．２）を照明可能な一つの照明デバイス（５）が設けられ、
前記対象（８．１、８．２）と前記ＴＯＦセンサ（２）との間に共通対物レンズ（４）が配列され、
前記視野（７．１）に存在する前記対象（８．１、８．２）の像（Ｄ）が、前記ＴＯＦセンサ（２）上の異なる領域（２．１、２．２）に別個に結像可能である、請求項１に記載のカメラ装置（１）。
【請求項５】
それぞれが視野（７．１、７．２）を照明可能な２つの照明デバイス（５．１、５．２）が設けられ、
前記対象（８．１、８．２）と前記ＴＯＦセンサ（２）との間に共通対物レンズ（４）が配列され、
前記対象（８．１、８．２）と前記対物レンズ（４）との間に制御可能な鏡（９）が配列され、
前記鏡（９）は、第１視野（７．１）のビーム経路又は第２視野（７．２）のビーム経路のいずれかが前記対物レンズ（４）まで送達され得るように制御可能であり、
前記対象（８．１、８．２）の像（Ｂ、Ｃ）は、前記ＴＯＦセンサ（２）上の共通領域に結像可能である、請求項１に記載のカメラ装置（１）。
【請求項６】
前記２つの照明デバイス（５．１、５．２）は制御デバイスに結合され、
前記制御デバイスにより前記照明デバイス（５．１、５．２）は、互いから独立して異なる時刻（ｔ１、ｔ２）にアクティブにすることができる、請求項５に記載のカメラ装置（１）。
【請求項７】
第１照明デバイス（５．１）は、前記鏡（９）によって前記第１視野（７．１）のビーム経路が前記ＴＯＦセンサ（２）上に結像される第１時刻（ｔ１）にアクティブにすることができ、
前記第２照明デバイス（５．２）は、前記鏡（９）によって前記第２視野（７．２）のビーム経路が前記ＴＯＦセンサ（２）上に結像される第２時刻（ｔ２）にアクティブにすることができる、請求項６に記載のカメラ装置（１）。
【請求項８】
前記鏡（９）はデジタルミラー、特にマイクロミラーである、請求項５から７のいずれか一項に記載のカメラ装置（１）。
【請求項９】
前記カメラ装置（１）から各視野（７．１、７．２）に存在する前記少なくとも一つの対象（８．１、８．２）までの距離が、前記少なくとも一つの照明デバイス（５、５．１、５．２）によって前記視野（７．１、７．２）まで放出される光の飛行時間から決定される、請求項１から８のいずれか一項に記載のカメラ装置（１）の使用。
【請求項１０】
運転者の頭部及び／若しくは乗員の頭部、前記運転者及び／若しくは乗員のジェスチャ、表現、目の位置、視認方向、シート位置、頭部位置、並びに／又は身体計測的特徴が車両内で監視される、請求項９に記載の使用。
【発明の詳細な説明】
【技術分野】
【０００１】
本発明は、カメラ装置に関し、及びかかるカメラ装置の使用に関する。
【背景技術】
【０００２】
いわゆるＴＯＦカメラ（飛行時間式カメラ）が知られている。これは、例えば赤外光を使用して風景を能動的に照明し、その照明に使用された光の飛行時間をセンサにより決定する。そして、これに基づき、照明された対象のカメラからの距離が決定される。これらＴＯＦカメラの多くは、カメラ光源から入来するわけではない背景光を抑制することができる。
【０００３】
特許文献１は、第１周波数範囲の電磁放射線を検出するカメラであって、電気光学結晶と、分析器と、第２周波数範囲の電磁放射線を検出する複数の検出器を有する検出器アレイとを含むカメラを開示する。分析器は、第２周波数範囲の電磁放射線のビーム方向において電気光学結晶と検出器アレイとの間に配列される。検出器アレイの複数の検出器はそれぞれ、第２周波数範囲の電磁放射線を復調するデバイスを含む。
【先行技術文献】
【特許文献】
【０００４】
【特許文献１】独国特許出願公開第１０  ２００９  ００１  １５９（Ａ１）号明細書
【発明の概要】
【発明が解決しようとする課題】
【０００５】
本発明の課題は、先行技術よりも改善されたカメラ装置、及びかかるカメラ装置の使用を与えることにある。
【課題を解決するための手段】
【０００６】
この課題は、本発明によれば、カメラ装置については請求項１に特定される特徴によって、及び使用については請求項９に特定される特徴によって解決される。
【０００７】
本発明によれば、カメラ装置は、複数の視野を照明する少なくとも一つの照明デバイスを含み、少なくとも一つの検出対象が当該視野のそれぞれに存在する。本発明によれば、カメラ装置はさらに、複数の視野の少なくとも一つを含むビーム経路を合焦する少なくとも一つの対物レンズを含む。一代替例として、本発明によれば、カメラ装置は、それぞれが複数の視野の少なくとも一つを含む複数のビーム経路を合焦する少なくとも一つの対物レンズを含む。本発明によれば、カメラ装置はさらにＴＯＦセンサも含む。少なくとも一つの照明デバイスと、少なくとも一つの対物レンズと、ＴＯＦセンサとが、互いに対して配列されることにより、かつ、視野及びその視野に存在する対象に対して配列されることにより、対象の像を一つのＴＯＦセンサ上に同時に又は経時連続的に結像することができる。
【０００８】
したがって、カメラ装置は、２以上の視野（ＦＯＶ）を、単数のＴＯＦセンサチップによって取得され得るように形成することができる。これは、空間重畳によって又は時分割多重方式によって行われる。
【０００９】
この場合、複数の風景を検出するべく単数のＴＯＦセンサチップのみが必要とされることが有利である。このようにして、カメラ装置は、一風景当たりの一ＴＯＦセンサチップと比較して経済的に構成することができる。
【００１０】
本発明の一改良例では、それぞれが視野を照明可能な２つの照明デバイスが設けられる。対象とＴＯＦセンサとの間にはそれぞれ対物レンズが配列される。対象の像は、ＴＯＦセンサ上の少なくとも部分的な共通領域に結像可能である。この場合、２つの照明デバイスは特に、制御デバイスに結合される。制御デバイスにより２つの照明デバイスは、互いから独立して異なる時刻にアクティブにすることができる。
【００１１】
この場合、２つの風景の２つの視野が一つのセンサ上に同時に結像される。したがって、２つの像の重なりが当該センサチップ上に形成される。双方の視野を結像するべくビームスプリッタを使用することができる。それにもかかわらず、重なった２つの視野を当該センサチップ上に結像することを達成する他の装置も可能である。
【００１２】
ＴＯＦカメラ装置は、風景を能動的に照明して背景光を抑制する。複数の風景の一つへの照明をそれぞれ切り替えることにより、照明を受けた風景が遮られるので、現在照明を受けている風景の視野のみが検出される。
【００１３】
本発明の一構成例によれば、視野を照明可能な一つの照明デバイスが設けられる。対象とＴＯＦセンサとの間に共通対物レンズが配列される。視野内に存在する対象の像が、ＴＯＦセンサ上の異なる領域に別個に結像可能となる。
【００１４】
すなわち、２つの視野が、センサチップの異なる領域上に結像される。このようにして、双方の視野を同時に検出することができる。
【００１５】
他の構成例では、それぞれが視野を照明可能な２つの照明デバイスが設けられる。対象とＴＯＦセンサとの間に共通対物レンズが配列される。対象と対物レンズとの間に制御可能な鏡が配列される。鏡は、第１視野のビーム経路又は第２視野のビーム経路のいずれかが対物レンズまで送達され得るように制御可能である。対象の像は、ＴＯＦセンサ上の共通領域に結像可能である。
【００１６】
この場合、２つの照明デバイスが制御デバイスに結合されるのが再び好ましい。制御デバイスにより照明デバイスは、互いから独立して異なる時刻にアクティブにすることができる。特に、第１照明デバイスは、鏡によって第１視野のビーム経路がＴＯＦセンサ上に結像される第１時刻にアクティブにすることができる。第２照明デバイスは特に、鏡によって第２視野のビーム経路がＴＯＦセンサ上に結像される第２時刻にアクティブにすることができる。
【００１７】
したがって、カメラ装置を異なる風景に逐次的に向けることによって視野領域が検出される。各風景は、カメラ視野が現在向けられているときにのみ照明されればよい。
【００１８】
本発明の一改良例によれば、鏡はデジタルミラー、特にマイクロミラー（いわゆるＭＥＭＳ（微小電気機械システム））である。
【００１９】
カメラ装置は例えば、測距用に使用することができる。カメラ装置から各視野に存在する少なくとも一つの対象までの距離を、少なくとも一つの照明デバイスによって当該視野まで放出される光の飛行時間から決定することができる。
【００２０】
一改良例では、カメラ装置は、一つのＴＯＦセンサのみによって運転者及び乗員の頭部を監視するべく、車両において使用される。さらに、運転者及び／若しくは乗員のジェスチャ、表現、目の位置、視認方向、シート位置、頭部位置並びに／又は身体計測的特徴を車両内で監視することができる。ジェスチャは特に、手のジェスチャである。
【００２１】
添付の模式図面を使用して本発明を詳細に説明する。
【図面の簡単な説明】
【００２２】
【図１】カメラ装置の第１実施形態の模式図である。
【図２】カメラ装置の第２実施形態の模式図である。
【図３】カメラ装置の第３実施形態の模式図である。
【発明を実施するための形態】
【００２３】
図１は、カメラ装置１の第１実施形態の模式図を示す。カメラ装置１は、ＴＯＦセンサ２、ビームスプリッタ３、２つの対物レンズ４．１及び４．２、２つの照明デバイス５．１、５．２、並びに制御デバイス６を含む。
【００２４】
対物レンズ４．１は、第１検出対象８．１が存在する第１視野７．１のビーム経路を合焦する。
【００２５】
対物レンズ４．２は、第２検出対象８．２が存在する第２視野７．２のビーム経路を合焦する。
【００２６】
２つの対物レンズ４．１、４．２からの合焦されたビーム経路が、ビームスプリッタ３において重なる異なる方向からビームスプリッタ３まで送達されてＴＯＦセンサ２上に結像される。
【００２７】
照明デバイス５．１は、第１視野７．１を照明するべく配列される。
【００２８】
照明デバイス５．２は、第２視野７．２を照明するべく配列される。
【００２９】
制御デバイス６は、好ましくはいずれの場合も視野７．１、７．２の一方のみが時刻ｔ１、ｔ２において照明されるように、照明デバイス５．１、５．２を制御する。
【００３０】
カメラ装置１は、背景光が少なくとも優位に抑制されるように、かつ、照明デバイス５．１、５．２から入来して対象８．１、８．２によって反射される光のみが検出されるように形成される。
【００３１】
視野７．１、７．２の双方を照明する場合、ＴＯＦセンサ２は、互いに重なる双方の対象８．１、８．２を検出する。その結果、像Ａが形成される。
【００３２】
視野７．１のみを時刻ｔ１において照明する場合、対象８．１のみが可視となる像ＢがＴＯＦセンサ２上に形成される。その結果、光の飛行時間の決定により、この対象までの距離を決定することができる。
【００３３】
視野７．２のみを時刻ｔ２において照明する場合、対象８．２のみが可視となる像ＣがＴＯＦセンサ２上に形成される。その結果、光の飛行時間の決定により、この対象までの距離を決定することができる。
【００３４】
図２は、カメラ装置１の第２実施形態の模式図を示す。カメラ装置１は、ＴＯＦセンサ２、対物レンズ４及び照明デバイス５を含む。
【００３５】
対物レンズ４．１は、２つの視野７．１、７．２を含むビーム経路を合焦する。第１検出対象８．１が視野７．１に存在し、かつ、第２検出対象８．２が視野７．２に存在する。
【００３６】
合焦されたビーム経路がＴＯＦセンサ２上に結像されるが、視野７．１がＴＯＦセンサ２の第１領域２．１に結像され、かつ、視野７．２がＴＯＦセンサ２の第２領域２．２に結像される。
【００３７】
照明デバイス５は、視野７．１、７．２の双方を照明するべく配列される。
【００３８】
カメラ装置１は、背景光が少なくとも優位に抑制されるように、かつ、照明デバイス５から入来して対象８．１、８．２によって反射される光のみが検出されるように形成される。
【００３９】
２つの対象８．１、８．２が別個の領域において可視となる像ＤがＴＯＦセンサ２上に形成される。その結果、光の飛行時間の決定により、これらの対象までのそれぞれの距離を決定することができる。
【００４０】
図３は、カメラ装置１の第３実施形態の模式図を示す。カメラ装置１は、ＴＯＦセンサ２、対物レンズ４、２つの照明デバイス５．１、５．２、制御デバイス（提示せず）及び制御可能な鏡９を含む。
【００４１】
鏡９は、第１検出対象８．１が存在する第１視野７．１のビーム経路又は第２検出対象８．２が存在する第２視野７．２のビーム経路のいずれかを対物レンズ４まで送達するように、制御デバイスによって制御することができる。対物レンズ４は、ビーム経路を合焦してＴＯＦセンサ２上に結像させる。
【００４２】
照明デバイス５．１は、第１視野７．１を照明するべく配列される。
【００４３】
照明デバイス５．２は、第２視野７．２を照明するべく配列される。
【００４４】
カメラ装置１は、背景光が少なくとも優位に抑制されるように、かつ、照明デバイス５．１、５．２から入来して対象８．１、８．２によって反射される光のみが検出されるように形成される。
【００４５】
鏡９が時刻ｔ１において視野７．１に向けられている場合、対象８．１のみが可視である像ＢがＴＯＦセンサ２上に形成される。その結果、光の飛行時間の決定により、この対象までの距離を決定することができる。
【００４６】
鏡９が時刻ｔ２において視野７．２に向けられている場合、対象８．２のみが可視である像ＣがＴＯＦセンサ２上に形成される。その結果、光の飛行時間の決定により、この像までの距離を決定することができる。
【００４７】
制御デバイス６は好ましくは、いずれの場合も視野７．１、７．２の一方のみが所定時刻において照明されるように照明デバイス５．１、５．２を制御することができる。
【符号の説明】
【００４８】
１  カメラ装置
２  ＴＯＦセンサ
２．１、２．２  領域
３  ビームスプリッタ
４、４．１、４．２  対物レンズ
５、５．１、５．２  照明デバイス
６  制御デバイス
７．１、７．２  視野
８．１、８．２  検出対象
９  鏡
Ａ、Ｂ、Ｃ、Ｄ  像
ｔ１、ｔ２  時刻
【図１】
2015510108.tif 000003
【図２】
2015510108.tif 000004
【図３】
2015510108.tif 000005
【国際調査報告】
2015510108.tif 000006
2015510108.tif 000007
2015510108.tif 000008
2015510108.tif 000009